(57)【要約】【課題】陽子の中の3.1MeVの輪(クオークと見做されるもの)の球体の半径はいくらか。中性子の中の22.76倍のエネルギーの陽子のラブの状態と輪の球体の半径はいくらか。【解決手段】陽子のラブは1公転するとき4.34×104回自転します。それで、1輪の電磁気には、6.2496×108個×4.34×104個＝2.712×1013個、の磁気の光子が存在する。輪の球体の半径の磁気の光子の数をr個とする。4/3×πｒ３＝2.712×1013個。ｒ＝(6.477×1012個)1/3=1.595×104個。輪の球体の半径＝半径の磁気の光子の数×磁気の光子1個の大きさ＝半径の磁気の光子の数×陽子のラブの自転軌道＝1.595×104個×1.837×10-19m＝2.930×10-15m。中性子の中の22.76倍のエネルギーの陽子のラブのAは、3.873×103×22.76＝8.815×104、です。それで、軌道は地表の÷8.815×104で、エネルギーは地表の×8.815×104です。輪の球体の半径は、1.595×104個×4.741×10-23m＝7.562×10-19m、です。【選択図】図１
2016149843.tif 000002
【特許請求の範囲】
【請求項１】
dクオークやuクオークにより電子や陽子が合成されたと考える不合理性
・物質はより安定な状態になるように存在する。uクオークにとって、より安定な状態とはどのような状態であるか。
uクオークが安定な状態は集まり、整数の電荷に成る事です。
uクオークの電荷は＋2/3です。それが集まり整数の電荷に成る場合は、(+2/3)+ (+2/3) + (+2/3)＝＋6/3=+2、です。uクオークが安定な状態はuクオークが3個集まり+2の電荷に成るときです。
もし、ビッグバンの後uクオークが存在していたとしたならば、uクオークは自分を不安定な状態にはせず、安定に成るように手を組んだでしょう。
・もし、ビッグバンの以前、素粒子が存在したならば、その素粒子はA種類の素粒子はA素粒子同士が集まって存在したでしょう。
・もし、ビッグバンの以前、素粒子が存在したならば、その素粒子の電荷が＋であるものは＋どうしが集まって存在するはずです。
・もし、ビッグバンの以前、素粒子が存在したならば、その素粒子の電荷が-であるものは-どうしが集まって存在するはずです。
・uクオークのエネルギーは1.7MeV〜3.1MeVです。そしてdクオークのエネルギーは4.1MeV〜5.7MeVです。それで、uクオークとdクオークの存在する軌道は異なります。
・もし、ビッグバンの以前、＋2/3のuクオークが存在したならば、uクオークが集まっている軌道で、uクオークは集まり、+2の安定な状態になった。
・もし、ビッグバンの以前、-1/3のｄクオークが存在したならば、ｄクオークが集まっている軌道で、dクオークは集まり、-1の安定な状態になった。
・＋2/3のuクオークは、3個集まり、+2の電荷のものができた。
・-1/3のuクオークは、3個集まり、-1の電荷のものができた。
【請求項２】
中性子はどのようであるか。特願2012-172394で考えた事。
私は2012年8月2日に提出した、特願2012-172394に次のように記した。
私は、2012年7月27日に提出した、特願2012-166422に於いて、中性子のラブを陽子のラブに電子のラブが付着した物と考えた。
しかし、中性子の中で、陽子のラブに電子のラブは付着していない。電子のラブと陽子のラブは別々に行動している。
中性子の中で、陽子のラブと電子のラブはどのように行動しているか。
電子のラブの公転軌道は、1.05836×10−10m÷3873＝2.732×10−14m、です。
陽子のラブの公転軌道は、1.05836×10−10m÷1836÷3873＝1.488×10−17mです。
よって、中性子の中で、電子のラブの公転軌道は、2.732×10−14mで、マイナスの方向に回転している。1秒間に(7.96×107)2回公転している。
中性子の中で、陽子のラブの公転軌道は、1.488×10−17mで、プラス方向に回転している。
陽子のラブのエネルギーは、8.665×10−24Jm÷(1.488×10−17m)＝5.823×10−7J
1秒間に、(4.34×104)2回公転している。
それで、中性子を外から観察した時、中性子の電子のラブの様子が観察され、それが中性子の性質として認識される。
・中性子の中の様子。
表1
2016149843.tif 000016
今回、私は、素粒子は作られた場のエネルギーを持っている事を学びました。
それで、中性子の中の陽子のラブも、電子のラブと同じように、3.873×103倍のエネルギーを持っていると考えます。
しかし、質量は同じです。
【請求項３】
中性子の陽子のラブはどのようであるか。特願2015-018905で考えた事の応用。
中性子は星の中の核融合反応をおこす場ででき、その場のエネルギーを自分の中に持っている。
星の中の核融合反応をおこす場は、15000000℃であるから、A=(15000000℃)1/2=3.873×103です。
それで、中性子のエネルギーは、地表の×3.873×103です。中性子の軌道は、地表の÷3.873×103です。
中性子の陽子のラブの性質。
中性子の陽子のラブの公転軌道＝地表の陽子のラブの公転軌道÷(3.873×103)＝5.764×10-14m÷(3.873×103)＝1.488×10-17m
中性子の電気の光子の軌道＝地表の電気の光子の軌道÷(3.873×103)＝5.764×10-14m÷(3.873×103)＝1.488×10-17m
中性子の陽子のラブの自転軌道＝地表の陽子のラブの自転軌道÷(3.873×103)＝4.18×10-18m÷(3.873×103)＝1.079×10-21m
中性子の陽子のラブのエネルギー＝地表の陽子のラブのエネルギー×3.873×103＝1.5×10-10J×3.873×103＝5.810×10-7J
中性子の電気の光子1個のエネルギー＝地表の電気の光子1個のエネルギー×3.873×103＝1.164×10-31J×3.873×103＝4.508×10-28J
中性子の磁気の光子1個のエネルギー＝地表の磁気の光子1個のエネルギー×3.873×103＝2.681×10-36J×3.873×103＝1.038×10-32J
・中性子の中の22.76倍のエネルギーの中性子の陽子のラブ＝中性子の中の陽子のラブで、外側の22.76倍のエネルギーの中性子の陽子のラブ
中性子の中の陽子のラブで、外側の22.76倍のエネルギーの中性子の陽子のラブの性質。
中性子の中の22.76倍のエネルギーの陽子のラブの状態
中性子の中の22.76倍のエネルギーの陽子のラブの公転軌道＝地表の陽子のラブの公転軌道÷(3.873×103×22.76)＝5.764×10-14m÷(3.873×103×22.76)＝6.538×10-19m
中性子の中の22.76倍のエネルギーの電気の光子の軌道＝地表の電気の光子の軌道÷(3.873×103×22.76)＝5.764×10-14m÷(3.873×103×22.76)＝6.538×10-19m
中性子の中の22.76倍のエネルギーの陽子のラブの自転軌道＝地表の陽子のラブの自転軌道÷(3.873×103×22.76)＝4.18×10-18m÷(3.873×103×22.76)＝4.741×10-23m
中性子の中の22.76倍のエネルギーの陽子のラブのエネルギー＝地表の陽子のラブのエネルギー×(3.873×103×22.76)＝1.5×10-10J×(3.873×103×22.76)＝1.322×10-5J
中性子の中の22.76倍のエネルギーの電気の光子1個のエネルギー＝地表の電気の光子1個のエネルギー×(3.873×103×22.76)＝1.164×10-31J×(3.873×103×22.76)＝1.026×10-26J
中性子の中の22.76倍のエネルギーの磁気の光子1個のエネルギー＝地表の磁気の光子1個のエネルギー×(3.873×103×22.76)＝2.681×10-36J×(3.873×103×22.76)＝2.362×10-31J
・中性子の中の12.482倍のエネルギーの中性子の陽子のラブ＝中性子の中の陽子のラブで、外側の12.482倍のエネルギーの中性子の陽子のラブ  4.83427×104
中性子の中の陽子のラブで、外側の12.482倍のエネルギーの中性子の陽子のラブの性質。
中性子の中の12.482倍のエネルギーの陽子のラブの状態
中性子の中の12.482倍のエネルギーの陽子のラブの公転軌道＝地表の陽子のラブの公転軌道÷(3.873×103×12.482)＝5.764×10-14m÷(3.873×103×12.482)＝1.192×10-18m
中性子の中の12.482倍のエネルギーの電気の光子の軌道＝地表の電気の光子の軌道÷(3.873×103×12.482)＝5.764×10-14m÷(3.873×103×12.482)＝1.192×10-18m
中性子の中の12.482倍のエネルギーの陽子のラブの自転軌道＝地表の陽子のラブの自転軌道÷(3.873×103×12.482)＝4.18×10-18m ÷(3.873×103×12.482)＝8.647×10-23m
中性子の中の12.482倍のエネルギーの陽子のラブのエネルギー＝地表の陽子のラブのエネルギー×(3.873×103×12.482)＝1.5×10-10J ×(3.873×103×12.482)＝7.251×10-6J
中性子の中の12.482倍のエネルギーの電気の光子1個のエネルギー＝地表の電気の光子1個のエネルギー×(3.873×103×12.482)＝1.164×10-31J ×(3.873×103×12.482)＝5.627×10-27J
中性子の中の12.482倍のエネルギーの磁気の光子1個のエネルギー＝地表の磁気の光子1個のエネルギー×(3.873×103×12.482)＝ 2.681×10-36J×(3.873×103×12.482)＝1.296×10-31J
まとめて表に示す。
中性子の陽子のラブの状態
表2
2016149843.tif 000017
【請求項４】
中性子の電子のラブはどのようであるか。
中性子の電子のラブの公転軌道＝地表の電子のラブの公転軌道÷(3.873×103)＝1.058×10-10m÷(3.873×103)＝2.732×10-14m
中性子の電気の光子の軌道＝地表の電気の光子の軌道÷(3.873×103)＝1.058×10-10m÷(3.873×103)＝2.732×10-14m
中性子の電子ラブの自転軌道＝地表の電子のラブの自転軌道÷(3.873×103)＝4.175×10-18m÷(3.873×103)＝1.078×10-21m
中性子の電子のラブのエネルギー＝地表の電子のラブのエネルギー×(3.873×103)＝8.187×10-14J×(3.873×103)＝3.171×10-10J
中性子の電気の光子1個のエネルギー＝地表の電気の光子1個のエネルギー×(3.873×103)＝1.165×10-31J×(3.873×103)＝4.512×10-28J
中性子の磁気の光子1個のエネルギー＝地表の磁気の光子1個のエネルギー×(3.873×103)＝1.464×10-39J×(3.873×103)＝5.670×10-36J
・中性子の中の電子のラブで、外側の7.220倍のエネルギーの中性子の電子のラブ
中性子の中の7.220倍のエネルギーの電子のラブの状態
中性子の中の7.220倍のエネルギーの電子のラブの公転軌道＝地表の電子のラブの公転軌道÷(3.873×103×7.220)＝1.058×10-10m÷(3.873×103×7.220)＝3.784×10-15m
中性子の中の7.220倍のエネルギーの電気の光子の軌道＝地表の電気の光子の軌道÷(3.873×103×7.220)＝1.058×10-10m÷(3.873×103×7.220)＝3.784×10-15m
中性子の中の7.220倍のエネルギーの電子ラブの自転軌道＝地表の電子のラブの自転軌道÷(3.873×103×7.220)＝4.175×10-18m÷(3.873×103×7.220)＝1.493×10-22m
中性子の中の7.220倍のエネルギーの電子ラブのエネルギー＝地表の電子のラブのエネルギー×(3.873×103×7.220)＝8.187×10-14J×(3.873×103×7.220)＝2.289×10-9J
中性子の中の7.220倍のエネルギーの電気の光子1個のエネルギー＝地表の電気の光子1個のエネルギー×(3.873×103×7.220)＝1.165×10-31J×(3.873×103×7.220)＝
3.258×10-27J
中性子の中の7.220倍のエネルギーの磁気の光子1個のエネルギー＝地表の磁気の光子1個のエネルギー×(3.873×103×7.220)＝1.464×10-39J×(3.873×103×7.220)＝4.094×10-35J
・中性子の中の電子のラブで、外側の5.193倍のエネルギーの中性子の電子のラブ
中性子の中の5.193倍のエネルギーの電子のラブの状態
中性子の中の5.193倍のエネルギーの電子のラブの公転軌道＝地表の電子のラブの公転軌道÷(3.873×103×5.193)＝1.058×10-10m÷(3.873×103×5.193)＝5.261×10-15m
中性子の中の5.193倍のエネルギーの電気の光子の軌道＝地表の電気の光子の軌道÷(3.873×103×5.193)＝1.058×10-10m÷(3.873×103×5.193)＝5.261×10-15m
中性子の中の5.193倍のエネルギーの電子ラブの自転軌道＝地表の電子ラブの自転軌道÷(3.873×103×5.193)＝4.175×10-18m÷(3.873×103×5.193)＝2.076×10-22m
中性子の中の5.193倍のエネルギーの電子ラブのエネルギー＝地表の電子ラブのエネルギー×(3.873×103×5.193)＝8.187×10-14J×(3.873×103×5.193)＝1.647×10-9J
中性子の中の5.193倍のエネルギーの電気の光子1個のエネルギー＝地表の電気の光子1個のエネルギー×(3.873×103×5.193)＝1.165×10-31J×(3.873×103×5.193)＝2.343×10-27J
中性子の中の5.193倍のエネルギーの磁気の光子1個のエネルギー＝地表の磁気の光子1個のエネルギー×(3.873×103×5.193)＝1.464×10-39J×(3.873×103×5.193)＝2.944×10-35J
まとめて表に示す。
中性子の電子のラブの状態
表3
2016149843.tif 000018
【請求項５】
中性子の陽子のラブが作るクオークと見做される輪の状態はどのようであるか。
・中性子の陽子のエネルギーで地表の3.873×103倍のエネルギーの陽子のラブを外側の軌道とし、中性子の中の22.76倍のエネルギーの陽子のラブと輪の状態はどのようであるか。
中性子の陽子のラブのエネルギーや軌道は変わる。
中性子の陽子のラブの回転によりできた電気の光子のエネルギーや磁気の光子のエネルギーは変わる。
しかし、陽子のラブの回転数と、束の電磁気の数と、輪の束数は変わらない。
中性子の陽子の外側の束の電磁気のエネルギー＝核磁子×3.873×103=5.0508×10-27J×3.873×103＝1.956×10-23J
中性子の陽子の外側の輪のエネルギー＝中性子の電子の外側の束の電磁気のエネルギー×輪の束数＝1.956×10-23J×(1.2×102)2束＝2.817×10-19J
この輪のエネルギーは加速器を通過後、3×108倍のエネルギーに成るので、2.817×10-19J×3×108＝8.451×10-11Jです。
これは、8.451×10-11J×6.2415×1018eV÷106eV=5.275×102MeV
中性子の中の22.76倍のエネルギーの輪のエネルギー＝5.275×102MeV×22.76＝1.201×104MeV
1輪の電磁気の個数=4.34×104個×(1.2×102)2束＝6.2496×108個
1輪の電磁気のエネルギー＝1輪の電磁気の個数×1個電磁気のエネルギー＝6.2496×108個×1.026×10-26J＝6.412×10-18J
1輪の電磁気のエネルギー＝クオークと見做される輪のエネルギー＝6.412×10-18J÷(5.3406×10-22J)=1.201×104MeV
まとめて表に示す。
中性子の中の22.76倍のエネルギーの陽子のラブと輪の状態
表4
2016149843.tif 000019
・中性子の陽子のエネルギーで地表の3.873×103倍のエネルギーの陽子のラブを外側の軌道とし、中性子の中の12.482倍のエネルギーの陽子のラブと輪の状態はどのようであるか。
中性子の陽子のラブのエネルギーや軌道は変わる。
中性子の陽子のラブの回転によりできた電気の光子のエネルギーや磁気の光子のエネルギーは変わる。
しかし、陽子のラブの回転数と、束の電磁気の数と、輪の束数は変わらない。
中性子の陽子の外側の束の電磁気のエネルギー＝核磁子×3.873×103=5.0508×10-27J×3.873×103＝1.956×10-23J
中性子の陽子の外側の輪のエネルギー＝中性子の電子の外側の束の電磁気のエネルギー×輪の束数＝1.956×10-23J×(1.2×102)2束＝2.817×10-19J
この輪のエネルギーは加速器を通過後、3×108倍のエネルギーに成るので、2.817×10-19J×3×108＝8.451×10-11Jです。
これは、8.451×10-11J×6.2415×1018eV÷106eV=5.275×102MeV
中性子の中の12.482倍のエネルギーの輪のエネルギー＝5.275×102MeV×12.482＝6.584×103MeV
1輪の電磁気の個数=4.34×104個×(1.2×102)2束＝6.2496×108個
1輪の電磁気のエネルギー＝1輪の電磁気の個数×1個の電磁気のエネルギー＝6.2496×108個×5.627×10-27J＝3.517×10-18J
1輪の電磁気のエネルギー＝クオークと見做される輪のエネルギー＝3.517×10-18J÷(5.3406×10-22J)=6.585×103MeV
まとめて表に示す。
中性子の中の12.482倍のエネルギーの陽子のラブと輪の状態
表5
2016149843.tif 000020
【請求項６】
中性子の電子のラブが作るクオークと見做される輪の状態はどのようであるか。
・中性子の電子のエネルギーで地表の3.873×103倍のエネルギーの電子のラブを外側の軌道とし、中性子の中の7.220倍のエネルギーの電子のラブと輪の状態はどのようであるか。
中性子の電子のラブのエネルギーや軌道は変わる。
中性子の電子のラブの回転によりできた電気の光子のエネルギーや磁気の光子のエネルギーは変わる。
しかし、電子のラブの回転数と、束の電磁気の数と、輪の束数は変わらない。
中性子の電子の外側の束の電磁気のエネルギー＝ボーア磁子×3.873×103=9.274×10-24J×3.873×103＝3.592×10-20J
中性子の電子の外側の輪のエネルギー＝中性子の電子の外側の束の電磁気のエネルギー×輪の束数＝3.592×10-20J×45.46束＝1.633×10-18J
この輪のエネルギーは加速器を通過後、3×108倍のエネルギーに成るので、1.633×10-18J×3×108＝4.899×10-10Jです。
これは、4.899×10-10J×6.2415×1018eV÷106eV=3.058×103MeV
中性子の中の7.220倍のエネルギーの輪のエネルギー＝3.058×103MeV×7.220＝2.208×104MeV
1輪の電磁気の個数＝7.96×107個×45.46束=3.619×109個
1輪の電磁気のエネルギー＝1輪の電磁気の個数×1個の電磁気のエネルギー＝3.619×109個×3.258×10-27J＝1.179×10-17J
1輪の電磁気のエネルギー＝クオークと見做される輪のエネルギー＝1.179×10-17J÷(5.3406×10-22J)=2.208×104MeV
まとめて表に示す。
中性子の中の7.220倍のエネルギーの電子のラブとクオークと見做される輪の状態
表6
2016149843.tif 000021
・中性子の電子のエネルギーで地表の3.873×103倍のエネルギーの電子のラブを外側の軌道とし、中性子の中の5.193倍のエネルギーの電子のラブと輪の状態はどのようであるか。
中性子の電子のラブのエネルギーや軌道は変わる。
中性子の電子のラブの回転によりできた電気の光子のエネルギーや磁気の光子のエネルギーは変わる。
しかし、電子のラブの回転数と、束の電磁気の数と、輪の束数は変わらない。
中性子の電子の外側の束の電磁気のエネルギー＝ボーア磁子×3.873×103=9.274×10-24J×3.873×103＝3.592×10-20J
中性子の電子の外側の輪のエネルギー＝中性子の電子の外側の束の電磁気のエネルギー×輪の束数＝3.592×10-20J×45.46束＝1.633×10-18J
この輪のエネルギーは加速器を通過後、3×108倍のエネルギーに成るので、1.633×10-18J×3×108＝4.899×10-10Jです。
これは、4.899×10-10J×6.2415×1018eV÷106eV=3.058×103MeV
中性子の中の5.193倍のエネルギーの輪のエネルギー＝3.058×103MeV×5.193＝1.588×104MeV
1輪の電磁気のエネルギー＝1輪の電磁気の個数×1個の電磁気のエネルギー＝3.619×109個×2.343×10-27J＝8.479×10-18J
1輪の電磁気のエネルギー＝クオークと見做される輪のエネルギー＝8.497×10-18J÷(5.3406×10-22J)=1.588×104MeV
まとめて表に示す。
中性子の中の5.193倍のエネルギーの電子のラブとクオークと見做される輪の状態
表7
2016149843.tif 000022
【請求項７】
高エネルギー加速器で陽子や電子が衝突したときどのような事がおきるか。
まず、電磁気は自分のエネルギーの軌道で輪に成って回転しています。
次に、衝撃により、電磁気は軌道を飛び出します。輪に成って飛び出します。
電磁気は回転している方向に飛び出します。
陽子の場合、3つの軌道を回転していた輪は、同じ方向に、＋方向に回転していますので、＋方向に飛び出し、ぶつかりません。
3つの輪は残る。その後、輪は更に小さいエネルギーに分離する。輪は電磁気に成る。
電子の場合、3つの軌道を回転していた輪は、同じ方向に、-方向に回転していますので、-方向に飛び出し、ぶつかりません。
3つの輪は残る。その後、輪は更に小さいエネルギーに分離する。輪は電磁気に成る。
まとめて表に示す。
高エネルギー加速器で陽子や電子が衝突したとき起きる事
表8
2016149843.tif 000023
【請求項８】
中性子の陽子のラブが作った電磁気の輪(クオークと見做されるもの)と中性子の電子のラブが作った電磁気の輪(クオークと見做されるもの)と衝突した時の状態はどのようであるか。
衝突は1つの中性子の中で行われる。
中性子には6つの輪が存在する。
中央には中性子の陽子のラブが作った電磁気の輪が3個です。
端には中性子の電子ラブが作った電磁気の輪が3個です。
中性子の陽子のラブが作った電磁気の軌道は6.538×10-19m〜1.192×10-18mです。
中性子の電子のラブが作った電磁気の軌道は3.784×10-15m 〜5.261×10-15mです。
中性子の陽子のラブが作った3つの軌道を、6.538×10-19mの軌道と、1.192×10-18mの軌道と、この中間の9.229×10-19mとする。
中性子の電子のラブが作った3つの軌道を、3.784×10-15mの軌道と、5.261×10-15mの軌道と、この中間の4.523×10-15mとする。
中性子の陽子のラブが作った3つの輪は、6.538×10-19mの軌道の輪と、9.229×10-19mの輪と、1.192×10-18mの軌道の輪です。
中性子の電子のラブが作った3つの輪は、3.784×10-15mの軌道の輪と、4.523×10-15mの輪と、5.261×10-15mの軌道の輪です。
もし、この中で衝突が起きるのなら、回転方向が反対で、近いものが衝突するでしょう。
中性子の陽子のラブが作った1.192×10-18mの軌道の輪と、中性子の電子のラブが作った3.784×10-15mの軌道の輪は衝突するでしょう。そして、これらの輪は消滅するでしょう。
残る輪は、中性子の陽子のラブが作った6.538×10-19mの軌道の輪と、9.229×10-19mの輪です。
中性子の電子のラブが作った4.523×10-15mの輪と、5.261×10-15mの軌道の輪です。
回転方向が違っても、回転軌道は異なるので衝突するとは限らない。
もし、衝突した場合は消滅する。
まとめて表に示す。
中性子の陽子の電磁気の輪(クオークと見做されるもの)と中性子の電子の電磁気の輪(クオークと見做されるもの)と衝突した時の状態
表9
2016149843.tif 000024
【請求項９】
中性子の中の陽子のラブが作る輪(クオークと見做されているもの)の球体の大きさはいくらか。
・中性子の中の22.76倍のエネルギーの陽子のラブが作る輪(クオークと見做されるもの)の球体の半径はいくらか。
陽子の場合、輪の電磁気の総数は、6.2496×108個です。
陽子のラブは1公転するとき4.34×104回自転します。
それで、1個の電磁気には4.34×104個の磁気の光子がついているから、
6.2496×108個の電磁気には、6.2496×108個×4.34×104個＝2.712×1013個、の磁気の光子が存在する。
輪の球体の半径の磁気の光子の数をr個とする。
4/3×πｒ３＝2.712×1013個
ｒ３＝2.712×1013個÷(4/3×π)＝2.712×1013個÷4.187＝6.477×1012個
ｒ＝(6.477×1012個)1/3=1.595×104個
輪(クオークと見做されているもの)の球体の半径には、1.595×104個の磁気の光子が存在する。
輪の球体の半径は、半径の磁気の光子の数×磁気の光子1個の大きさ＝半径の磁気の光子の数×陽子のラブの自転軌道＝1.595×104個×4.741×10-23m＝7.562×10-19m、です。
電磁気の軌道は、6.538×10-19mです。
それで、半径7.562×10-19mの球体は6.538×10-19mの軌道を回転している。
もしかしたら、球体は圧縮されているのかもしれない。
・中性子の中の12.482倍のエネルギーの陽子のラブが作る輪(クオークと見做されるもの)の球体の半径はいくらか。
陽子の場合、輪の電磁気の総数は、6.2496×108個です。
陽子のラブは1公転するとき4.34×104回自転します。
それで、1個の電磁気には4.34×104個の磁気の光子がついているから、
6.2496×108個の電磁気には、6.2496×108個×4.34×104個＝2.712×1013個、の磁気の光子が存在する。
輪の球体の半にr個の磁気の光子が存在するとする。
4/3×πｒ３＝2.712×1013個
ｒ３＝2.712×1013個÷(4/3×π)＝2.712×1013個÷4.187＝6.477×1012個
ｒ＝(6.477×1012個)1/3=1.595×104個
輪(クオークと見做されているもの)の球体の半径には、1.595×104個の磁気の光子が存在する。
輪の球体の半径は、半径の磁気の光子の数×磁気の光子1個の大きさ＝半径の磁気の光子の数×陽子のラブの自転軌道＝1.595×104個×8.647×10-23m＝1.379×10-18m、です。
輪(クオークと見做されているもの)の球体の半径は1.379×10-18m、です。
電磁気の軌道は、1.192×10-18mです。
それで、半径1.379×10-18mの球体は1.192×10-18mの軌道を回転している。
もしかしたら、球体は圧縮されているのかもしれない。
【請求項１０】
中性子の中の電子のラブが作る輪(クオークと見做されているもの)の球体の大きさはいくらか。
・中性子の中の7.220倍のエネルギーの電子のラブが作る輪(クオークと見做されているもの)の球体の半径はいくらか。
１輪の電磁気の個数は3.619×109個です。
電子のラブは1公転するとき、7.96×107回自転します。
それで、1電磁気には7.96×107個の磁気の光子が付いています。
1輪の中に、3.619×109個×7.96×107回自転＝2.881×1017個の磁気の光子が存在します。
輪の球体の半径にr個の磁気の光子が存在するとします。
4/3×πｒ3＝2.881×1017個
ｒ3＝2.881×1017個÷(4/3×π)＝2.881×1017個÷4.187＝6.881×1016個
ｒ＝(6.881×1016個)1/3=1.902×104個
輪(クオークと見做されているもの)の球体の半径には、1.902×104個の磁気の光子が存在する。
輪の球体の半径は、半径の磁気の光子の数×磁気の光子1個の大きさ＝半径の磁気の光子の数×電子のラブの自転軌道＝1.902×104個×1.493×10-22m ＝2.840×10-18m、です。
輪(クオークと見做されているもの)の球体の半径は2.840×10-18m、です。
電磁気の軌道は、3.784×10-15mです。
それで、半径2.840×10-18mの球体は3.784×10-15mの軌道を回転している。
・中性子の中の5.193倍のエネルギーの電子のラブが作る輪(クオークと見做されているもの)の球体の大きさはいくらか。
１輪の電磁気の総数は3.619×109個です。
電子のラブは1公転するとき、7.96×107回自転します。
それで、1輪の中に、3.619×109個×7.96×107回自転＝2.881×1017個の磁気の光子が存在します。
輪の球体の半径にr個の磁気の光子が存在するとします。
4/3×πｒ3＝2.881×1017個
ｒ3＝2.881×1017個÷(4/3×π)＝2.881×1017個÷4.187＝6.881×1016個
ｒ＝(6.881×1016個)1/3=1.902×104個
輪(クオークと見做されているもの)の球体の半径には、1.902×104個の磁気の光子が存在する。
輪の球体の半径は、半径の磁気の光子の数×磁気の光子1個の大きさ＝半径の磁気の光子の数×陽子のラブの自転軌道＝1.902×104個×2.076×10-22m ＝3.949×10-18m、です。
輪(クオークと見做されているもの)の球体の半径は3.949×10-18m、です。
電磁気の軌道は、5.261×10-15mです。
それで、半径3.949×10-18mの球体は5.261×10-15mの軌道を回転している。
【請求項１１】
陽子のラブが作る輪(クオークと見做されているもの)の球体の大きさはいくらか。
2015年2月3日に提出した特願2015-018905の、表1、陽子の中の軌道とエネルギーの表を示す。
表10
2016149843.tif 000025
この表を基に考える。
・陽子の中の3.1MeVの輪(クオークと見做されるもの)の球体の半径はいくらか。
陽子の場合、1輪の電磁気の個数は、6.249×108個です。
陽子のラブは1公転するとき4.34×104回自転します。
それで、1個の電磁気には4.34×104個の磁気の光子がついていますから、
6.2496×108個の電磁気には、6.2496×108個×4.34×104個＝2.712×1013個、の磁気の光子が存在する。
球体の半径にr個の磁気の光子が存在するとする。
4/3×πｒ３＝2.712×1013個
ｒ３＝2.712×1013個÷(4/3×π)＝2.712×1013個÷4.187＝6.477×1012個
ｒ＝(6.477×1012個)1/3=1.595×104個
輪(クオークと見做されているもの)の球体の半径には、1.595×104個の磁気の光子が存在する。
輪の球体の半径は、半径の磁気の光子の数×磁気の光子1個の大きさ＝半径の磁気の光子の数×陽子のラブの自転軌道＝1.595×104個×1.837×10-19m＝2.930×10-15m、です。
電磁気の軌道は2.533×10-15mです。
それで、半径2.930×10-15mの球体は陽子の2.533×10-15mの軌道を回転する。
球体は収縮しているのかもしれない。
・陽子の中の1.7MeVの輪(クオークと見做されるもの)の球体の半径はいくらか。
陽子の場合、1輪の電磁気の個数は、6.249×108個です。
陽子のラブは1公転するとき4.34×104回自転します。
それで、1個の電磁気には4.34×104個の磁気の光子がついていますから、
6.2496×108個の電磁気には、6.2496×108個×4.34×104個＝2.712×1013個、の磁気の光子が存在する。
球体の半径にr個の磁気の光子が存在するとする。
4/3×πｒ３＝2.712×1013個
ｒ３＝2.712×1013個÷(4/3×π)＝2.712×1013個÷4.187＝6.477×1012個
ｒ＝(6.477×1012個)1/3=1.595×104個
輪(クオークと見做されているもの)の球体の半径には、1.595×104個の磁気の光子が存在する。
輪の球体の半径は、半径の磁気の光子の数×磁気の光子1個の大きさ＝半径の磁気の光子の数×陽子のラブの自転軌道＝1.595×104個×3.349×10-19m＝5.342×10-15m、です。
電磁気の軌道は4.618×10-15mです。
それで、半径5.342×10-15mの球体は陽子の4.618×10-15mの軌道を回転する。
球体は収縮しているのかもしれない。
【請求項１２】
電子のラブが作る輪(クオークと見做されているもの)の球体の大きさはいくらか。
2015年2月3日に提出した、特願2015-018905の表4、電子の中の軌道とエネルギーの表を示す。
表11
2016149843.tif 000026
この表を基に考える。
・電子の中の5.7MeVの輪(クオークと見做されるもの)の球体の半径はいくらか。
1輪の電磁気の光子の個数は3.619×109個です。
電子のラブは1公転するとき7.96×107回自転する。
それで、1輪の中に、3.619×109個×7.96×107回自転＝2.881×1017個の磁気の光子が存在します。
輪の球体の半径にr個の磁気の光子が存在するとします。
4/3×πｒ3＝2.881×1017個
ｒ3＝2.881×1017個÷(4/3×π)＝2.881×1017個÷4.187＝6.881×1016個
ｒ＝(6.881×1016個)1/3=1.902×104個
輪(クオークと見做されているもの)の球体の半径には、1.902×104個の磁気の光子が存在する。
輪の球体の半径は、半径の磁気の光子の数×磁気の光子1個の大きさ＝半径の磁気の光子の数×電子のラブの自転軌道＝1.902×104個×5.783×10-19m ＝1.100×10-14m、です。
輪(クオークと見做されているもの)の球体の半径は1.100×10-14m、です。
電磁気の軌道は、1.466×10-11m です。
それで、半径1.100×10-14mの球体は1.466×10-11mの軌道を回転している。
・電子の中の4.1MeVの輪(クオークと見做されるもの)の球体の半径はいくらか。
1輪の電磁気の光子の個数は3.619×109個です。
電子のラブは1公転するとき7.96×107回自転する。
それで、1輪の中に、3.619×109個×7.96×107回自転＝2.881×1017個の磁気の光子が存在します。
輪の球体の半径にr個の磁気の光子が存在するとします。
4/3×πｒ3＝2.881×1017個
ｒ3＝2.881×1017個÷(4/3×π)＝2.881×1017個÷4.187＝6.881×1016個
ｒ＝(6.881×1016個)1/3=1.902×104個
輪(クオークと見做されているもの)の球体の半径には、1.902×104個の磁気の光子が存在する。
輪の球体の半径は、半径の磁気の光子の数×磁気の光子1個の大きさ＝半径の磁気の光子の数×電子のラブの自転軌道＝1.902×104個×8.040×10-19m ＝1.529×10-14m、です。
輪(クオークと見做されているもの)の球体の半径は1.529×10-14m、です。
電磁気の軌道は、2.038×10-11m です。
それで、半径1.529×10-14mの球体は2.038×10-11mの軌道を回転している。
まとめて表に示す。
中性子の中の陽子の中の輪(クオークと見做されているもの)の球体の大きさと、中性子の中の電子の中の輪(クオークと見做されているもの)の球体の大きさ
表12
2016149843.tif 000027
まとめて表に示す。
陽子の中の輪(クオークと見做されているもの)の球体の大きさと、電子の中の輪(クオークと見做されているもの)の球体の大きさ
表13
2016149843.tif 000028
【発明の詳細な説明】
【技術分野】
【０００１】
本発明は、高エネルギー加速器で観察されるものに関するものである。  
【背景技術】
【０００２】
輪のエネルギーから軌道とエネルギーと輪の束数を求める式はどのようであるか。クオークと見做される輪はどのように観察され放出するか。中性子を高エネルギー加速器にかけた場合、衝突後、輪はどのようになるか。
陽子の外側の核磁子の軌道の輪のエネルギーは、輪を（1.2×102）2束とした場合、0.1362MeVです。例えば、3.1MeV÷0.1362MeV＝22.76 (倍)、このように倍数をa倍とすると、軌道は地表の÷aで、エネルギーは地表の×aです。輪の束数はa4束です。陽子の輪のネルギーが3.1MeVの場合、電気の光子の軌道は、2.533×10-15mで、これが輪の大きさです。放出される全エネルギーは、1つの電磁気のエネルギー×電磁気の数＝2.650×10-30J×6.2496×108個=1.656×10-21J(＝3.1MeV)、です。中性子の陽子のラブが作る電磁気の輪の回転方向と中性子の電子のラブが作る電磁気の輪の回転方向は逆ですから、これらが衝突すると輪は消える。
【先行技術文献】
【特許文献】
【０００３】
【特許文献１】特願2014−247501
【特許文献２】特願2006−336352
【特許文献３】特願2014−252526
【特許文献４】特願2014−259608
【特許文献５】特願2015-007894
【特許文献６】特願2015-018905
【発明の概要】
【発明が解決しようとする課題】
【０００４】
１．dクオークやuクオークにより電子や陽子が合成されたと考える不合理性
2．中性子はどのようであるか。特願2012-172394で考えた事。
3．中性子の陽子のラブはどのようであるか。
4．中性子の電子のラブはどのようであるか。
5．中性子の陽子のラブが作るクオークと見做される輪の状態はどのようであるか。
・中性子の陽子のエネルギーで地表の3.873×103倍のエネルギーの陽子のラブを外側の軌道とし、中性子の中の22.76倍のエネルギーの陽子のラブと輪の状態はどのようであるか。
・中性子の陽子のエネルギーで地表の3.873×103倍のエネルギーの陽子のラブを外側の軌道とし、中性子の中の12.482倍のエネルギーの陽子のラブと輪の状態はどのようであるか。
6．中性子の電子のラブが作るクオークと見做される輪の状態はどのようであるか。
・中性子の電子のエネルギーで地表の3.873×103倍のエネルギーの電子のラブを外側の軌道とし、中性子の中の7.220倍のエネルギーの電子のラブと輪の状態はどのようであるか。
・中性子の電子のエネルギーで地表の3.873×103倍のエネルギーの電子のラブを外側の軌道とし、中性子の中の5.193倍のエネルギーの電子のラブと輪の状態はどのようであるか。
７．高エネルギー加速器で陽子や電子や中性子が衝突したときどのような事がおきるか。
8．中性子の陽子のラブが作った電磁気の輪(クオークと見做されるもの)と中性子の電子のラブが作った電磁気の輪(クオークと見做されるもの)と衝突した時の状態はどのようであるか。
9．中性子の中の陽子のラブが作る輪(クオークと見做されているもの)の球体の大きさはいくらか。
・中性子の中の22.76倍のエネルギーの陽子のラブが作る輪(クオークと見做されるもの)の球体の半径はいくらか。
・中性子の中の12.482倍のエネルギーの陽子のラブが作る輪(クオークと見做されるもの)の球体の半径はいくらか。
10．中性子の中の電子のラブが作る輪(クオークと見做されているもの)の球体の大きさはいくらか。
・中性子の中の7.220倍のエネルギーの電子のラブが作る輪(クオークと見做されているもの)の球体の半径はいくらか。
・中性子の中の5.193倍のエネルギーの電子のラブが作る輪(クオークと見做されているもの)の球体の大きさはいくらか。
11．陽子のラブが作る輪(クオークと見做されているもの)の球体の大きさはいくらか。
・陽子の中の3.1MeVの輪(クオークと見做されるもの)の球体の半径はいくらか。
・陽子の中の1.7MeVの輪(クオークと見做されるもの)の球体の半径はいくらか。
12．電子のラブが作る輪(クオークと見做されているもの)の球体の大きさはいくらか。
・電子の中の5.7MeVの輪(クオークと見做されるもの)の球体の半径はいくらか。
・電子の中の4.1MeVの輪(クオークと見做されるもの)の球体の半径はいくらか。
【課題を解決するための手段】
【０００５】
1．物質はより安定な状態になるように存在する。uクオークにとって、より安定な状態とはどのような状態であるか。
2．私は、2012年7月27日に提出した、特願2012-166422に於いて、中性子のラブを陽子のラブに電子のラブが付着した物と考えた。
3．中性子は星の中の核融合反応をおこす場ででき、その場のエネルギーを自分の中に持っている。
星の中の核融合反応をおこす場は、15000000℃であるから、A=(15000000℃)1/2=3.873×103です
4．中性子のエネルギーは、地表の×3.873×103です。中性子の軌道は、地表の÷3.873×103です。
5．中性子の陽子の外側の束の電磁気のエネルギー＝核磁子×3.873×103=5.0508×10-27J×3.873×103＝1.956×10-23J
中性子の陽子の外側の輪のエネルギー＝中性子の電子の外側の束の電磁気のエネルギー×輪の束数＝1.956×10-23J×(1.2×102)2束＝2.817×10-19J
この輪のエネルギーは加速器を通過後、3×108倍のエネルギーに成るので、2.817×10-19J×3×108＝8.451×10-11Jです。
これは、8.451×10-11J×6.2415×1018eV÷106eV=5.275×102MeV
6．中性子の電子の外側の束の電磁気のエネルギー＝ボーア磁子×3.873×103=9.274×10-24J×3.873×103＝3.592×10-20J
中性子の電子の外側の輪のエネルギー＝中性子の電子の外側の束の電磁気のエネルギー×輪の束数＝3.592×10-20J×45.46束＝1.633×10-18J
この輪のエネルギーは加速器を通過後、3×108倍のエネルギーに成るので、1.633×10-18J×3×108＝4.899×10-10Jです。
これは、4.899×10-10J×6.2415×1018eV÷106eV=3.058×103MeV
７．陽子の場合、3つの軌道を回転していた輪は、同じ方向に、＋方向に回転していますので、＋方向に飛び出し、ぶつかりません。
電子の場合、3つの軌道を回転していた輪は、同じ方向に、-方向に回転していますので、-方向に飛び出し、ぶつかりません。
8．中性子の陽子のラブが作った3つの輪は、6.538×10-19mの軌道の輪と、9.229×10-19mの輪と、1.192×10-18mの軌道の輪です。
中性子の電子のラブが作った3つの輪は、3.784×10-15mの軌道の輪と、4.523×10-15mの輪と、5.261×10-15mの軌道の輪です。
もし、この中で衝突が起きるのなら、回転方向が反対で、近いものが衝突するでしょう。
9．陽子の場合、輪の電磁気の総数は、6.2496×108個です。
陽子のラブは1公転するとき4.34×104回自転します。
輪の球体の半径をr個とする。
ｒ＝(6.477×1012個)1/3=1.595×104個
10．1電磁気には7.96×107個の磁気の光子が付いています。
1輪の中に、3.619×109個×7.96×107回自転＝2.881×1017個の磁気の光子が存在します。
輪の球体の半径にr個の磁気の光子が存在するとします。
ｒ＝(6.881×1016個)1/3=1.902×104個
11．それで、1個の電磁気には4.34×104個の磁気の光子がついています。
6.2496×108個の電磁気には、6.2496×108個×4.34×104個＝2.712×1013個、の磁気の光子が存在します。
球体の半径にr個の磁気の光子が存在するとする。
ｒ＝(6.477×1012個)1/3=1.595×104個
12．電子のラブは1公転するとき7.96×107回自転する。
それで、1輪の中に、3.619×109個×7.96×107回自転＝2.881×1017個、の磁気の光子が存在します。
輪の球体の半径にr個の磁気の光子が存在するとします。
ｒ＝(6.881×1016個)1/3=1.902×104個
【発明の効果】
【０００６】
１．uクオークが安定な状態は集まり、整数の電荷に成る事です。uクオークの電荷は＋2/3です。それが集まり整数の電荷に成る場合は、(+2/3)+ (+2/3) + (+2/3)＝＋6/3=+2、です。uクオークが安定な状態はuクオークが3個集まり+2の電荷に成るときです。
2．しかし、中性子の中で、陽子のラブに電子のラブは付着していない。電子のラブと陽子のラブは別々に行動している。
3．中性子のエネルギーは、地表の×3.873×103です。中性子の軌道は、地表の÷3.873×103です。
中性子の陽子のラブの性質を表に示す。
4．中性子の電子のラブの性質を表に示す。
5．中性子の中の22.76倍のエネルギーの陽子のラブと輪の状態を表に示す。
中性子の中の12.482倍のエネルギーの陽子のラブと輪の状態を表に示す。
6．中性子の中の7.220倍のエネルギーの電子のラブとクオークと見做される輪の状態を表に示す。
中性子の中の5.193倍のエネルギーの電子のラブとクオークと見做される輪の状態を表に示す。
7．陽子の場合、3つの輪は残る。その後、輪は更に小さいエネルギーに分離する。輪は電磁気に成る。
電子の場合、3つの輪は残る。その後、輪は更に小さいエネルギーに分離する。輪は電磁気に成る。
8．中性子の陽子のラブが作った1.192×10-18mの軌道の輪と、中性子の電子のラブが作った3.784×10-15mの軌道の輪は衝突するでしょう。そして、これらの輪は消滅するでしょう。
残る輪は、中性子の陽子のラブが作った6.538×10-19mの軌道の輪と、9.229×10-19mの輪です。
中性子の電子のラブが作った4.523×10-15mの輪と、5.261×10-15mの軌道の輪です。
回転方向が違っても、回転軌道は異なるので衝突するとは限らない。
9．輪の球体の半径は、半径の磁気の光子の数×磁気の光子1個の大きさ＝半径の磁気の光子の数×陽子のラブの自転軌道＝1.595×104個×4.741×10-23m＝7.562×10-19m、です。
電磁気の軌道は、6.538×10-19mです。
それで、半径7.562×10-19mの球体は6.538×10-19mの軌道を回転している。
輪の球体の半径は、半径の磁気の光子の数×磁気の光子1個の大きさ＝半径の磁気の光子の数×陽子のラブの自転軌道＝1.595×104個×8.647×10-23m＝1.379×10-18m、です。
輪(クオークと見做されているもの)の球体の半径は1.379×10-18m、です。
電磁気の軌道は、1.192×10-18mです。
それで、半径1.379×10-18mの球体は1.192×10-18mの軌道を回転している。
輪の球体の半径は、半径の磁気の光子の数×磁気の光子1個の大きさ＝半径の磁気の光子の数×電子のラブの自転軌道＝1.902×104個×1.493×10-22m ＝2.840×10-18m、です。
輪(クオークと見做されているもの)の球体の半径は2.840×10-18m、です。
電磁気の軌道は、3.784×10-15mです。
それで、半径2.840×10-18mの球体は3.784×10-15mの軌道を回転している。
10．輪の球体の半径は、半径の磁気の光子の数×磁気の光子1個の大きさ＝半径の磁気の光子の数×電子のラブの自転軌道＝1.902×104個×1.493×10-22m ＝2.840×10-18m、です。
輪(クオークと見做されているもの)の球体の半径は2.840×10-18m、です。
電磁気の軌道は、3.784×10-15mです。
それで、半径2.840×10-18mの球体は3.784×10-15mの軌道を回転している。
輪の球体の半径は、半径の磁気の光子の数×磁気の光子1個の大きさ＝半径の磁気の光子の数×陽子のラブの自転軌道＝1.902×104個×2.076×10-22m ＝3.949×10-18m、です。
輪(クオークと見做されているもの)の球体の半径は3.949×10-18m、です。
電磁気の軌道は、5.261×10-15mです。
それで、半径3.949×10-18mの球体は5.261×10-15mの軌道を回転している。
11．輪の球体の半径は、半径の磁気の光子の数×磁気の光子1個の大きさ＝半径の磁気の光子の数×陽子のラブの自転軌道＝1.595×104個×1.837×10-19m＝2.930×10-15m、です。
電磁気の軌道は2.533×10-15mです。
それで、半径2.930×10-15mの球体は陽子の2.533×10-15mの軌道を回転する。
輪の球体の半径は、半径の磁気の光子の数×磁気の光子1個の大きさ＝半径の磁気の光子の数×陽子のラブの自転軌道＝1.595×104個×3.349×10-19m＝5.342×10-15m、です。
電磁気の軌道は4.618×10-15mです。
それで、半径5.342×10-15mの球体は陽子の4.618×10-15mの軌道を回転する。
12．輪の球体の半径は、半径の磁気の光子の数×磁気の光子1個の大きさ＝半径の磁気の光子の数×電子のラブの自転軌道＝1.902×104個×8.040×10-19m ＝1.529×10-14m、です。
輪(クオークと見做されているもの)の球体の半径は1.529×10-14m、です。
電磁気の軌道は、2.038×10-11m です。
それで、半径1.529×10-14mの球体は2.038×10-11mの軌道を回転している。
輪の球体の半径は、半径の磁気の光子の数×磁気の光子1個の大きさ＝半径の磁気の光子の数×電子のラブの自転軌道＝1.902×104個×8.040×10-19m ＝1.529×10-14m、です。
輪(クオークと見做されているもの)の球体の半径は1.529×10-14m、です。
電磁気の軌道は、2.038×10-11m です。
それで、半径1.529×10-14mの球体は2.038×10-11mの軌道を回転している。
【図面の簡単な説明】
【０００７】
【図１】図１は、陽子の中の3.1MeVの輪(クオークと見做されるもの)の球体の半径と、それが回転する陽子の軌道を示す。陽子の場合、1輪の電磁気の個数は、6.249×108個です。陽子のラブは1公転するとき4.34×104回自転します。それで、1個の電磁気には4.34×104個の磁気の光子がついていますから、6.2496×108個の電磁気には、6.2496×108個×4.34×104個＝2.712×1013個、の磁気の光子が存在する。球体の半径にr個の磁気の光子が存在するとする。4/3×πｒ３＝2.712×1013個ｒ３＝2.712×1013個÷(4/3×π)＝2.712×1013個÷4.187＝6.477×1012個ｒ＝(6.477×1012個)1/3=1.595×104個輪(クオークと見做されているもの)の球体の半径には、1.595×104個の磁気の光子が存在する。輪の球体の半径は、半径の磁気の光子の数×磁気の光子1個の大きさ＝半径の磁気の光子の数×陽子のラブの自転軌道＝1.595×104個×1.837×10-19m＝2.930×10-15m、です。電磁気の輪の軌道は2.533×10-15mです。それで、半径2.930×10―15mの球体は陽子の2.533×10―15mの軌道を回転する。球体は収縮しているのかもしれない。
【図２】図２は中性子の中の陽子のラブが作る輪(クオークと見做されているもの)の球体の半径と、それが回転する中性子の陽子の軌道を示す。また、中性子の中の電子のラブが作る輪(クオークと見做されているもの)の球体の半径と、それが回転する中性子の電子の軌道を示す。・中性子の中の22.76倍のエネルギーの陽子のラブが作る輪(クオークと見做されるもの)の球体の半径はいくらか。陽子の場合、輪の電磁気の総数は、6.2496×108個です。陽子のラブは1公転するとき4.34×104回自転します。それで、1個の電磁気には4.34×104個の磁気の光子がついているから、6.2496×108個の電磁気には、6.2496×108個×4.34×104個＝2.712×1013個、の磁気の光子が存在する。輪の球体の半径の磁気の光子の数をr個とする。4/3×πｒ３＝2.712×1013個ｒ３＝2.712×1013個÷(4/3×π)＝2.712×1013個÷4.187＝6.477×1012個ｒ＝(6.477×1012個)1/3=1.595×104個輪(クオークと見做されているもの)の球体の半径には、1.595×104個の磁気の光子が存在する。輪の球体の半径は、半径の磁気の光子の数×磁気の光子1個の大きさ＝半径の磁気の光子の数×陽子のラブの自転軌道＝1.595×104個×4.741×10-23m＝7.562×10-19m、です。電磁気の輪の軌道は、6.538×10-19mです。それで、半径7.562×10-19mの球体は6.538×10-19mの軌道を＋方向に回転している。・中性子の中の7.220倍のエネルギーの電子のラブが作る輪(クオークと見做されているもの)の球体の半径はいくらか。１輪の電磁気の個数は3.619×109個です。電子のラブは1公転するとき、7.96×107回自転します。それで、1電磁気には7.96×107個の磁気の光子が付いています。1輪の中に、3.619×109個×7.96×107回自転＝2.881×1017個、の磁気の光子が存在します。輪の球体の半径にr個の磁気の光子が存在するとします。4/3×πｒ3＝2.881×1017個ｒ3＝2.881×1017個÷(4/3×π)＝2.881×1017個÷4.187＝6.881×1016個ｒ＝(6.881×1016個)1/3=1.902×104個輪(クオークと見做されているもの)の球体の半径には、1.902×104個の磁気の光子が存在する。輪の球体の半径は、半径の磁気の光子の数×磁気の光子1個の大きさ＝半径の磁気の光子の数×電子のラブの自転軌道＝1.902×104個×1.493×10-22m ＝2.840×10-18m、です。輪(クオークと見做されているもの)の球体の半径は2.840×10-18m、です。電磁気の軌道は、3.784×10-15mです。それで、半径2.840×10-18mの球体は3.784×10-15mの軌道を-方向に回転している。
【発明を実施するための形態】
【０００８】
１．    dクオークやuクオークにより電子や陽子が合成されたと考える不合理性
・物質はより安定な状態になるように存在する。uクオークにとって、より安定な状態とはどのような状態であるか。
uクオークが安定な状態は集まり、整数の電荷に成る事です。
uクオークの電荷は＋2/3です。それが集まり整数の電荷に成る場合は、(+2/3)+ (+2/3) + (+2/3)＝＋6/3=+2、です。uクオークが安定な状態はuクオークが3個集まり+2の電荷に成るときです。
もし、ビッグバンの後uクオークが存在していたとしたならば、uクオークは自分を不安定な状態にはせず、安定に成るように手を組んだでしょう。
・もし、ビッグバンの以前、素粒子が存在したならば、その素粒子はA種類の素粒子はA素粒子同士が集まって存在したでしょう。
・もし、ビッグバンの以前、素粒子が存在したならば、その素粒子の電荷が＋であるものは＋どうしが集まって存在するはずです。
・もし、ビッグバンの以前、素粒子が存在したならば、その素粒子の電荷が-であるものは-どうしが集まって存在するはずです。
・uクオークのエネルギーは1.7MeV〜3.1MeVです。そしてdクオークのエネルギーは4.1MeV〜5.7MeVです。それで、uクオークとdクオークの存在する軌道は異なります。
・もし、ビッグバンの以前、＋2/3のuクオークが存在したならば、uクオークが集まっている軌道で、uクオークは集まり、+2の安定な状態になった。
・もし、ビッグバンの以前、-1/3のｄクオークが存在したならば、ｄクオークが集まっている軌道で、dクオークは集まり、-1の安定な状態になった。
・＋2/3のuクオークは、3個集まり、+2の電荷のものができた。
・-1/3のuクオークは、3個集まり、-1の電荷のものができた。
２．    中性子はどのようであるか。特願2012-172394で考えた事。
私は2012年8月2日に提出した、特願2012-172394に次のように記した。
私は、2012年7月27日に提出した、特願2012-166422に於いて、中性子のラブを陽子のラブに電子のラブが付着した物と考えた。
しかし、中性子の中で、陽子のラブに電子のラブは付着していない。電子のラブと陽子のラブは別々に行動している。
中性子の中で、陽子のラブと電子のラブはどのように行動しているか。
電子のラブの公転軌道は、1.05836×10−10m÷3873＝2.732×10−14m、です。
陽子のラブの公転軌道は、1.05836×10−10m÷1836÷3873＝1.488×10−17mです。
よって、中性子の中で、電子のラブの公転軌道は、2.732×10−14mで、マイナスの方向に回転している。1秒間に(7.96×107)2回公転している。
中性子の中で、陽子のラブの公転軌道は、1.488×10−17mで、プラス方向に回転している。
陽子のラブのエネルギーは、8.665×10−24Jm÷(1.488×10−17m)＝5.823×10−7J
1秒間に、(4.34×104)2回公転している。
それで、中性子を外から観察した時、中性子の電子のラブの様子が観察され、それが中性子の性質として認識される。
・中性子の中の様子。
表1
2016149843.tif 000003
今回、私は、素粒子は作られた場のエネルギーを持っている事を学びました。
それで、中性子の中の陽子のラブも、電子のラブと同じように、3.873×103倍のエネルギーを持っていると考えます。
しかし、質量は同じです。
３．    中性子の陽子のラブはどのようであるか。特願2015-018905で考えた事の応用。
中性子は星の中の核融合反応をおこす場ででき、その場のエネルギーを自分の中に持っている。
星の中の核融合反応をおこす場は、15000000℃であるから、A=(15000000℃)1/2=3.873×103です。
それで、中性子のエネルギーは、地表の×3.873×103です。中性子の軌道は、地表の÷3.873×103です。
中性子の陽子のラブの性質。
中性子の陽子のラブの公転軌道＝地表の陽子のラブの公転軌道÷(3.873×103)＝5.764×10-14m÷(3.873×103)＝1.488×10-17m
中性子の電気の光子の軌道＝地表の電気の光子の軌道÷(3.873×103)＝5.764×10-14m÷(3.873×103)＝1.488×10-17m
中性子の陽子のラブの自転軌道＝地表の陽子のラブの自転軌道÷(3.873×103)＝4.18×10-18m÷(3.873×103)＝1.079×10-21m
中性子の陽子のラブのエネルギー＝地表の陽子のラブのエネルギー×3.873×103＝1.5×10-10J×3.873×103＝5.810×10-7J
中性子の電気の光子1個のエネルギー＝地表の電気の光子1個のエネルギー×3.873×103＝1.164×10-31J×3.873×103＝4.508×10-28J
中性子の磁気の光子1個のエネルギー＝地表の磁気の光子1個のエネルギー×3.873×103＝2.681×10-36J×3.873×103＝1.038×10-32J
・中性子の中の22.76倍のエネルギーの中性子の陽子のラブ＝中性子の中の陽子のラブで、外側の22.76倍のエネルギーの中性子の陽子のラブ
中性子の中の陽子のラブで、外側の22.76倍のエネルギーの中性子の陽子のラブの性質。
中性子の中の22.76倍のエネルギーの陽子のラブの状態
中性子の中の22.76倍のエネルギーの陽子のラブの公転軌道＝地表の陽子のラブの公転軌道÷(3.873×103×22.76)＝5.764×10-14m÷(3.873×103×22.76)＝6.538×10-19m
中性子の中の22.76倍のエネルギーの電気の光子の軌道＝地表の電気の光子の軌道÷(3.873×103×22.76)＝5.764×10-14m÷(3.873×103×22.76)＝6.538×10-19m
中性子の中の22.76倍のエネルギーの陽子のラブの自転軌道＝地表の陽子のラブの自転軌道÷(3.873×103×22.76)＝4.18×10-18m÷(3.873×103×22.76)＝4.741×10-23m
中性子の中の22.76倍のエネルギーの陽子のラブのエネルギー＝地表の陽子のラブのエネルギー×(3.873×103×22.76)＝1.5×10-10J×(3.873×103×22.76)＝1.322×10-5J
中性子の中の22.76倍のエネルギーの電気の光子1個のエネルギー＝地表の電気の光子1個のエネルギー×(3.873×103×22.76)＝1.164×10-31J×(3.873×103×22.76)＝1.026×10-26J
中性子の中の22.76倍のエネルギーの磁気の光子1個のエネルギー＝地表の磁気の光子1個のエネルギー×(3.873×103×22.76)＝2.681×10-36J×(3.873×103×22.76)＝2.362×10-31J
・中性子の中の12.482倍のエネルギーの中性子の陽子のラブ＝中性子の中の陽子のラブで、外側の12.482倍のエネルギーの中性子の陽子のラブ  4.83427×104
中性子の中の陽子のラブで、外側の12.482倍のエネルギーの中性子の陽子のラブの性質。
中性子の中の12.482倍のエネルギーの陽子のラブの状態
中性子の中の12.482倍のエネルギーの陽子のラブの公転軌道＝地表の陽子のラブの公転軌道÷(3.873×103×12.482)＝5.764×10-14m÷(3.873×103×12.482)＝1.192×10-18m
中性子の中の12.482倍のエネルギーの電気の光子の軌道＝地表の電気の光子の軌道÷(3.873×103×12.482)＝5.764×10-14m÷(3.873×103×12.482)＝1.192×10-18m
中性子の中の12.482倍のエネルギーの陽子のラブの自転軌道＝地表の陽子のラブの自転軌道÷(3.873×103×12.482)＝4.18×10-18m ÷(3.873×103×12.482)＝8.647×10-23m
中性子の中の12.482倍のエネルギーの陽子のラブのエネルギー＝地表の陽子のラブのエネルギー×(3.873×103×12.482)＝1.5×10-10J ×(3.873×103×12.482)＝7.251×10-6J
中性子の中の12.482倍のエネルギーの電気の光子1個のエネルギー＝地表の電気の光子1個のエネルギー×(3.873×103×12.482)＝1.164×10-31J ×(3.873×103×12.482)＝5.627×10-27J
中性子の中の12.482倍のエネルギーの磁気の光子1個のエネルギー＝地表の磁気の光子1個のエネルギー×(3.873×103×12.482)＝ 2.681×10-36J×(3.873×103×12.482)＝1.296×10-31J
まとめて表に示す。
中性子の陽子のラブの状態
表2
2016149843.tif 000004
４．    中性子の電子のラブはどのようであるか。
中性子の電子のラブの公転軌道＝地表の電子のラブの公転軌道÷(3.873×103)＝1.058×10-10m÷(3.873×103)＝2.732×10-14m
中性子の電気の光子の軌道＝地表の電気の光子の軌道÷(3.873×103)＝1.058×10-10m÷(3.873×103)＝2.732×10-14m
中性子の電子ラブの自転軌道＝地表の電子のラブの自転軌道÷(3.873×103)＝4.175×10-18m÷(3.873×103)＝1.078×10-21m
中性子の電子のラブのエネルギー＝地表の電子のラブのエネルギー×(3.873×103)＝8.187×10-14J×(3.873×103)＝3.171×10-10J
中性子の電気の光子1個のエネルギー＝地表の電気の光子1個のエネルギー×(3.873×103)＝1.165×10-31J×(3.873×103)＝4.512×10-28J
中性子の磁気の光子1個のエネルギー＝地表の磁気の光子1個のエネルギー×(3.873×103)＝1.464×10-39J×(3.873×103)＝5.670×10-36J
・中性子の中の電子のラブで、外側の7.220倍のエネルギーの中性子の電子のラブ
中性子の中の7.220倍のエネルギーの電子のラブの状態
中性子の中の7.220倍のエネルギーの電子のラブの公転軌道＝地表の電子のラブの公転軌道÷(3.873×103×7.220)＝1.058×10-10m÷(3.873×103×7.220)＝3.784×10-15m
中性子の中の7.220倍のエネルギーの電気の光子の軌道＝地表の電気の光子の軌道÷(3.873×103×7.220)＝1.058×10-10m÷(3.873×103×7.220)＝3.784×10-15m
中性子の中の7.220倍のエネルギーの電子ラブの自転軌道＝地表の電子のラブの自転軌道÷(3.873×103×7.220)＝4.175×10-18m÷(3.873×103×7.220)＝1.493×10-22m
中性子の中の7.220倍のエネルギーの電子ラブのエネルギー＝地表の電子のラブのエネルギー×(3.873×103×7.220)＝8.187×10-14J×(3.873×103×7.220)＝2.289×10-9J
中性子の中の7.220倍のエネルギーの電気の光子1個のエネルギー＝地表の電気の光子1個のエネルギー×(3.873×103×7.220)＝1.165×10-31J×(3.873×103×7.220)＝
3.258×10-27J
中性子の中の7.220倍のエネルギーの磁気の光子1個のエネルギー＝地表の磁気の光子1個のエネルギー×(3.873×103×7.220)＝1.464×10-39J×(3.873×103×7.220)＝4.094×10-35J
・中性子の中の電子のラブで、外側の5.193倍のエネルギーの中性子の電子のラブ
中性子の中の5.193倍のエネルギーの電子のラブの状態
中性子の中の5.193倍のエネルギーの電子のラブの公転軌道＝地表の電子のラブの公転軌道÷(3.873×103×5.193)＝1.058×10-10m÷(3.873×103×5.193)＝5.261×10-15m
中性子の中の5.193倍のエネルギーの電気の光子の軌道＝地表の電気の光子の軌道÷(3.873×103×5.193)＝1.058×10-10m÷(3.873×103×5.193)＝5.261×10-15m
中性子の中の5.193倍のエネルギーの電子ラブの自転軌道＝地表の電子ラブの自転軌道÷(3.873×103×5.193)＝4.175×10-18m÷(3.873×103×5.193)＝2.076×10-22m
中性子の中の5.193倍のエネルギーの電子ラブのエネルギー＝地表の電子ラブのエネルギー×(3.873×103×5.193)＝8.187×10-14J×(3.873×103×5.193)＝1.647×10-9J
中性子の中の5.193倍のエネルギーの電気の光子1個のエネルギー＝地表の電気の光子1個のエネルギー×(3.873×103×5.193)＝1.165×10-31J×(3.873×103×5.193)＝2.343×10-27J
中性子の中の5.193倍のエネルギーの磁気の光子1個のエネルギー＝地表の磁気の光子1個のエネルギー×(3.873×103×5.193)＝1.464×10-39J×(3.873×103×5.193)＝2.944×10-35J
まとめて表に示す。
中性子の電子のラブの状態
表3
2016149843.tif 000005
５．    中性子の陽子のラブが作るクオークと見做される輪の状態はどのようであるか。
・中性子の陽子のエネルギーで地表の3.873×103倍のエネルギーの陽子のラブを外側の軌道とし、中性子の中の22.76倍のエネルギーの陽子のラブと輪の状態はどのようであるか。
中性子の陽子のラブのエネルギーや軌道は変わる。
中性子の陽子のラブの回転によりできた電気の光子のエネルギーや磁気の光子のエネルギーは変わる。
しかし、陽子のラブの回転数と、束の電磁気の数と、輪の束数は変わらない。
中性子の陽子の外側の束の電磁気のエネルギー＝核磁子×3.873×103=5.0508×10-27J×3.873×103＝1.956×10-23J
中性子の陽子の外側の輪のエネルギー＝中性子の電子の外側の束の電磁気のエネルギー×輪の束数＝1.956×10-23J×(1.2×102)2束＝2.817×10-19J
この輪のエネルギーは加速器を通過後、3×108倍のエネルギーに成るので、2.817×10-19J×3×108＝8.451×10-11Jです。
これは、8.451×10-11J×6.2415×1018eV÷106eV=5.275×102MeV
中性子の中の22.76倍のエネルギーの輪のエネルギー＝5.275×102MeV×22.76＝1.201×104MeV
1輪の電磁気の個数=4.34×104個×(1.2×102)2束＝6.2496×108個
1輪の電磁気のエネルギー＝1輪の電磁気の個数×1個電磁気のエネルギー＝6.2496×108個×1.026×10-26J＝6.412×10-18J
1輪の電磁気のエネルギー＝クオークと見做される輪のエネルギー＝6.412×10-18J÷(5.3406×10-22J)=1.201×104MeV
まとめて表に示す。
中性子の中の22.76倍のエネルギーの陽子のラブと輪の状態
表4
2016149843.tif 000006
・中性子の陽子のエネルギーで地表の3.873×103倍のエネルギーの陽子のラブを外側の軌道とし、中性子の中の12.482倍のエネルギーの陽子のラブと輪の状態はどのようであるか。
中性子の陽子のラブのエネルギーや軌道は変わる。
中性子の陽子のラブの回転によりできた電気の光子のエネルギーや磁気の光子のエネルギーは変わる。
しかし、陽子のラブの回転数と、束の電磁気の数と、輪の束数は変わらない。
中性子の陽子の外側の束の電磁気のエネルギー＝核磁子×3.873×103=5.0508×10-27J×3.873×103＝1.956×10-23J
中性子の陽子の外側の輪のエネルギー＝中性子の電子の外側の束の電磁気のエネルギー×輪の束数＝1.956×10-23J×(1.2×102)2束＝2.817×10-19J
この輪のエネルギーは加速器を通過後、3×108倍のエネルギーに成るので、2.817×10-19J×3×108＝8.451×10-11Jです。
これは、8.451×10-11J×6.2415×1018eV÷106eV=5.275×102MeV
中性子の中の12.482倍のエネルギーの輪のエネルギー＝5.275×102MeV×12.482＝6.584×103MeV
1輪の電磁気の個数=4.34×104個×(1.2×102)2束＝6.2496×108個
1輪の電磁気のエネルギー＝1輪の電磁気の個数×1個の電磁気のエネルギー＝6.2496×108個×5.627×10-27J＝3.517×10-18J
1輪の電磁気のエネルギー＝クオークと見做される輪のエネルギー＝3.517×10-18J÷(5.3406×10-22J)=6.585×103MeV
まとめて表に示す。
中性子の中の12.482倍のエネルギーの陽子のラブと輪の状態
表5
2016149843.tif 000007
６．    中性子の電子のラブが作るクオークと見做される輪の状態はどのようであるか。
・中性子の電子のエネルギーで地表の3.873×103倍のエネルギーの電子のラブを外側の軌道とし、中性子の中の7.220倍のエネルギーの電子のラブと輪の状態はどのようであるか。
中性子の電子のラブのエネルギーや軌道は変わる。
中性子の電子のラブの回転によりできた電気の光子のエネルギーや磁気の光子のエネルギーは変わる。
しかし、電子のラブの回転数と、束の電磁気の数と、輪の束数は変わらない。
中性子の電子の外側の束の電磁気のエネルギー＝ボーア磁子×3.873×103=9.274×10-24J×3.873×103＝3.592×10-20J
中性子の電子の外側の輪のエネルギー＝中性子の電子の外側の束の電磁気のエネルギー×輪の束数＝3.592×10-20J×45.46束＝1.633×10-18J
この輪のエネルギーは加速器を通過後、3×108倍のエネルギーに成るので、1.633×10-18J×3×108＝4.899×10-10Jです。
これは、4.899×10-10J×6.2415×1018eV÷106eV=3.058×103MeV
中性子の中の7.220倍のエネルギーの輪のエネルギー＝3.058×103MeV×7.220＝2.208×104MeV
1輪の電磁気の個数＝7.96×107個×45.46束=3.619×109個
1輪の電磁気のエネルギー＝1輪の電磁気の個数×1個の電磁気のエネルギー＝3.619×109個×3.258×10-27J＝1.179×10-17J
1輪の電磁気のエネルギー＝クオークと見做される輪のエネルギー＝1.179×10-17J÷(5.3406×10-22J)=2.208×104MeV
まとめて表に示す。
中性子の中の7.220倍のエネルギーの電子のラブとクオークと見做される輪の状態
表6
2016149843.tif 000008
・中性子の電子のエネルギーで地表の3.873×103倍のエネルギーの電子のラブを外側の軌道とし、中性子の中の5.193倍のエネルギーの電子のラブと輪の状態はどのようであるか。
中性子の電子のラブのエネルギーや軌道は変わる。
中性子の電子のラブの回転によりできた電気の光子のエネルギーや磁気の光子のエネルギーは変わる。
しかし、電子のラブの回転数と、束の電磁気の数と、輪の束数は変わらない。
中性子の電子の外側の束の電磁気のエネルギー＝ボーア磁子×3.873×103=9.274×10-24J×3.873×103＝3.592×10-20J
中性子の電子の外側の輪のエネルギー＝中性子の電子の外側の束の電磁気のエネルギー×輪の束数＝3.592×10-20J×45.46束＝1.633×10-18J
この輪のエネルギーは加速器を通過後、3×108倍のエネルギーに成るので、1.633×10-18J×3×108＝4.899×10-10Jです。
これは、4.899×10-10J×6.2415×1018eV÷106eV=3.058×103MeV
中性子の中の5.193倍のエネルギーの輪のエネルギー＝3.058×103MeV×5.193＝1.588×104MeV
1輪の電磁気のエネルギー＝1輪の電磁気の個数×1個の電磁気のエネルギー＝3.619×109個×2.343×10-27J＝8.479×10-18J
1輪の電磁気のエネルギー＝クオークと見做される輪のエネルギー＝8.497×10-18J÷(5.3406×10-22J)=1.588×104MeV
まとめて表に示す。
中性子の中の5.193倍のエネルギーの電子のラブとクオークと見做される輪の状態
表7
2016149843.tif 000009
７．    高エネルギー加速器で陽子や電子が衝突したときどのような事がおきるか。
まず、電磁気は自分のエネルギーの軌道で輪に成って回転しています。
次に、衝撃により、電磁気は軌道を飛び出します。輪に成って飛び出します。
電磁気は回転している方向に飛び出します。
陽子の場合、3つの軌道を回転していた輪は、同じ方向に、＋方向に回転していますので、＋方向に飛び出し、ぶつかりません。
3つの輪は残る。その後、輪は更に小さいエネルギーに分離する。輪は電磁気に成る。
電子の場合、3つの軌道を回転していた輪は、同じ方向に、-方向に回転していますので、-方向に飛び出し、ぶつかりません。
3つの輪は残る。その後、輪は更に小さいエネルギーに分離する。輪は電磁気に成る。
まとめて表に示す。
高エネルギー加速器で陽子や電子が衝突したとき起きる事
表8
2016149843.tif 000010
８．    中性子の陽子のラブが作った電磁気の輪(クオークと見做されるもの)と中性子の電子のラブが作った電磁気の輪(クオークと見做されるもの)と衝突した時の状態はどのようであるか。
衝突は1つの中性子の中で行われる。
中性子には6つの輪が存在する。
中央には中性子の陽子のラブが作った電磁気の輪が3個です。
端には中性子の電子ラブが作った電磁気の輪が3個です。
中性子の陽子のラブが作った電磁気の軌道は6.538×10-19m〜1.192×10-18mです。
中性子の電子のラブが作った電磁気の軌道は3.784×10-15m 〜5.261×10-15mです。
中性子の陽子のラブが作った3つの軌道を、6.538×10-19mの軌道と、1.192×10-18mの軌道と、この中間の9.229×10-19mとする。
中性子の電子のラブが作った3つの軌道を、3.784×10-15mの軌道と、5.261×10-15mの軌道と、この中間の4.523×10-15mとする。
中性子の陽子のラブが作った3つの輪は、6.538×10-19mの軌道の輪と、9.229×10-19mの輪と、1.192×10-18mの軌道の輪です。
中性子の電子のラブが作った3つの輪は、3.784×10-15mの軌道の輪と、4.523×10-15mの輪と、5.261×10-15mの軌道の輪です。
もし、この中で衝突が起きるのなら、回転方向が反対で、近いものが衝突するでしょう。
中性子の陽子のラブが作った1.192×10-18mの軌道の輪と、中性子の電子のラブが作った3.784×10-15mの軌道の輪は衝突するでしょう。そして、これらの輪は消滅するでしょう。
残る輪は、中性子の陽子のラブが作った6.538×10-19mの軌道の輪と、9.229×10-19mの輪です。
中性子の電子のラブが作った4.523×10-15mの輪と、5.261×10-15mの軌道の輪です。
回転方向が違っても、回転軌道は異なるので衝突するとは限らない。
もし、衝突した場合は消滅する。
まとめて表に示す。
中性子の陽子の電磁気の輪(クオークと見做されるもの)と中性子の電子の電磁気の輪(クオークと見做されるもの)と衝突した時の状態
表9
2016149843.tif 000011
９．    中性子の中の陽子のラブが作る輪(クオークと見做されているもの)の球体の大きさはいくらか。
・中性子の中の22.76倍のエネルギーの陽子のラブが作る輪(クオークと見做されるもの)の球体の半径はいくらか。
陽子の場合、輪の電磁気の総数は、6.2496×108個です。
陽子のラブは1公転するとき4.34×104回自転します。
それで、1個の電磁気には4.34×104個の磁気の光子がついているから、
6.2496×108個の電磁気には、6.2496×108個×4.34×104個＝2.712×1013個、の磁気の光子が存在する。
輪の球体の半径の磁気の光子の数をr個とする。
4/3×πｒ３＝2.712×1013個
ｒ３＝2.712×1013個÷(4/3×π)＝2.712×1013個÷4.187＝6.477×1012個
ｒ＝(6.477×1012個)1/3=1.595×104個
輪(クオークと見做されているもの)の球体の半径には、1.595×104個の磁気の光子が存在する。
輪の球体の半径は、半径の磁気の光子の数×磁気の光子1個の大きさ＝半径の磁気の光子の数×陽子のラブの自転軌道＝1.595×104個×4.741×10-23m＝7.562×10-19m、です。
電磁気の軌道は、6.538×10-19mです。
それで、半径7.562×10-19mの球体は6.538×10-19mの軌道を回転している。
もしかしたら、球体は圧縮されているのかもしれない。
・中性子の中の12.482倍のエネルギーの陽子のラブが作る輪(クオークと見做されるもの)の球体の半径はいくらか。
陽子の場合、輪の電磁気の総数は、6.2496×108個です。
陽子のラブは1公転するとき4.34×104回自転します。
それで、1個の電磁気には4.34×104個の磁気の光子がついているから、
6.2496×108個の電磁気には、6.2496×108個×4.34×104個＝2.712×1013個、の磁気の光子が存在する。
輪の球体の半にr個の磁気の光子が存在するとする。
4/3×πｒ３＝2.712×1013個
ｒ３＝2.712×1013個÷(4/3×π)＝2.712×1013個÷4.187＝6.477×1012個
ｒ＝(6.477×1012個)1/3=1.595×104個
輪(クオークと見做されているもの)の球体の半径には、1.595×104個の磁気の光子が存在する。
輪の球体の半径は、半径の磁気の光子の数×磁気の光子1個の大きさ＝半径の磁気の光子の数×陽子のラブの自転軌道＝1.595×104個×8.647×10-23m＝1.379×10-18m、です。
輪(クオークと見做されているもの)の球体の半径は1.379×10-18m、です。
電磁気の軌道は、1.192×10-18mです。
それで、半径1.379×10-18mの球体は1.192×10-18mの軌道を回転している。
もしかしたら、球体は圧縮されているのかもしれない。
１０．    中性子の中の電子のラブが作る輪(クオークと見做されているもの)の球体の大きさはいくらか。
・中性子の中の7.220倍のエネルギーの電子のラブが作る輪(クオークと見做されているもの)の球体の半径はいくらか。
１輪の電磁気の個数は3.619×109個です。
電子のラブは1公転するとき、7.96×107回自転します。
それで、1電磁気には7.96×107個の磁気の光子が付いています。
1輪の中に、3.619×109個×7.96×107回自転＝2.881×1017個の磁気の光子が存在します。
輪の球体の半径にr個の磁気の光子が存在するとします。
4/3×πｒ3＝2.881×1017個
ｒ3＝2.881×1017個÷(4/3×π)＝2.881×1017個÷4.187＝6.881×1016個
ｒ＝(6.881×1016個)1/3=1.902×104個
輪(クオークと見做されているもの)の球体の半径には、1.902×104個の磁気の光子が存在する。
輪の球体の半径は、半径の磁気の光子の数×磁気の光子1個の大きさ＝半径の磁気の光子の数×電子のラブの自転軌道＝1.902×104個×1.493×10-22m ＝2.840×10-18m、です。
輪(クオークと見做されているもの)の球体の半径は2.840×10-18m、です。
電磁気の軌道は、3.784×10-15mです。
それで、半径2.840×10-18mの球体は3.784×10-15mの軌道を回転している。
・中性子の中の5.193倍のエネルギーの電子のラブが作る輪(クオークと見做されているもの)の球体の大きさはいくらか。
１輪の電磁気の総数は3.619×109個です。
電子のラブは1公転するとき、7.96×107回自転します。
それで、1輪の中に、3.619×109個×7.96×107回自転＝2.881×1017個の磁気の光子が存在します。
輪の球体の半径にr個の磁気の光子が存在するとします。
4/3×πｒ3＝2.881×1017個
ｒ3＝2.881×1017個÷(4/3×π)＝2.881×1017個÷4.187＝6.881×1016個
ｒ＝(6.881×1016個)1/3=1.902×104個
輪(クオークと見做されているもの)の球体の半径には、1.902×104個の磁気の光子が存在する。
輪の球体の半径は、半径の磁気の光子の数×磁気の光子1個の大きさ＝半径の磁気の光子の数×陽子のラブの自転軌道＝1.902×104個×2.076×10-22m ＝3.949×10-18m、です。
輪(クオークと見做されているもの)の球体の半径は3.949×10-18m、です。
電磁気の軌道は、5.261×10-15mです。
それで、半径3.949×10-18mの球体は5.261×10-15mの軌道を回転している。
１１．    陽子のラブが作る輪(クオークと見做されているもの)の球体の大きさはいくらか。
2015年2月3日に提出した特願2015-018905の、表1、陽子の中の軌道とエネルギーの表を示す。
表10
2016149843.tif 000012
この表を基に考える。
・陽子の中の3.1MeVの輪(クオークと見做されるもの)の球体の半径はいくらか。
陽子の場合、1輪の電磁気の個数は、6.249×108個です。
陽子のラブは1公転するとき4.34×104回自転します。
それで、1個の電磁気には4.34×104個の磁気の光子がついていますから、
6.2496×108個の電磁気には、6.2496×108個×4.34×104個＝2.712×1013個、の磁気の光子が存在する。
球体の半径にr個の磁気の光子が存在するとする。
4/3×πｒ３＝2.712×1013個
ｒ３＝2.712×1013個÷(4/3×π)＝2.712×1013個÷4.187＝6.477×1012個
ｒ＝(6.477×1012個)1/3=1.595×104個
輪(クオークと見做されているもの)の球体の半径には、1.595×104個の磁気の光子が存在する。
輪の球体の半径は、半径の磁気の光子の数×磁気の光子1個の大きさ＝半径の磁気の光子の数×陽子のラブの自転軌道＝1.595×104個×1.837×10-19m＝2.930×10-15m、です。
電磁気の軌道は2.533×10-15mです。
それで、半径2.930×10-15mの球体は陽子の2.533×10-15mの軌道を回転する。
球体は収縮しているのかもしれない。
・陽子の中の1.7MeVの輪(クオークと見做されるもの)の球体の半径はいくらか。
陽子の場合、1輪の電磁気の個数は、6.249×108個です。
陽子のラブは1公転するとき4.34×104回自転します。
それで、1個の電磁気には4.34×104個の磁気の光子がついていますから、
6.2496×108個の電磁気には、6.2496×108個×4.34×104個＝2.712×1013個、の磁気の光子が存在する。
球体の半径にr個の磁気の光子が存在するとする。
4/3×πｒ３＝2.712×1013個
ｒ３＝2.712×1013個÷(4/3×π)＝2.712×1013個÷4.187＝6.477×1012個
ｒ＝(6.477×1012個)1/3=1.595×104個
輪(クオークと見做されているもの)の球体の半径には、1.595×104個の磁気の光子が存在する。
輪の球体の半径は、半径の磁気の光子の数×磁気の光子1個の大きさ＝半径の磁気の光子の数×陽子のラブの自転軌道＝1.595×104個×3.349×10-19m＝5.342×10-15m、です。
電磁気の軌道は4.618×10-15mです。
それで、半径5.342×10-15mの球体は陽子の4.618×10-15mの軌道を回転する。
球体は収縮しているのかもしれない。
１２．    電子のラブが作る輪(クオークと見做されているもの)の球体の大きさはいくらか。
2015年2月3日に提出した、特願2015-018905の表4、電子の中の軌道とエネルギーの表を示す。
表11
2016149843.tif 000013
この表を基に考える。
・電子の中の5.7MeVの輪(クオークと見做されるもの)の球体の半径はいくらか。
1輪の電磁気の光子の個数は3.619×109個です。
電子のラブは1公転するとき7.96×107回自転する。
それで、1輪の中に、3.619×109個×7.96×107回自転＝2.881×1017個の磁気の光子が存在します。
輪の球体の半径にr個の磁気の光子が存在するとします。
4/3×πｒ3＝2.881×1017個
ｒ3＝2.881×1017個÷(4/3×π)＝2.881×1017個÷4.187＝6.881×1016個
ｒ＝(6.881×1016個)1/3=1.902×104個
輪(クオークと見做されているもの)の球体の半径には、1.902×104個の磁気の光子が存在する。
輪の球体の半径は、半径の磁気の光子の数×磁気の光子1個の大きさ＝半径の磁気の光子の数×電子のラブの自転軌道＝1.902×104個×5.783×10-19m ＝1.100×10-14m、です。
輪(クオークと見做されているもの)の球体の半径は1.100×10-14m、です。
電磁気の軌道は、1.466×10-11m です。
それで、半径1.100×10-14mの球体は1.466×10-11mの軌道を回転している。
・電子の中の4.1MeVの輪(クオークと見做されるもの)の球体の半径はいくらか。
1輪の電磁気の光子の個数は3.619×109個です。
電子のラブは1公転するとき7.96×107回自転する。
それで、1輪の中に、3.619×109個×7.96×107回自転＝2.881×1017個の磁気の光子が存在します。
輪の球体の半径にr個の磁気の光子が存在するとします。
4/3×πｒ3＝2.881×1017個
ｒ3＝2.881×1017個÷(4/3×π)＝2.881×1017個÷4.187＝6.881×1016個
ｒ＝(6.881×1016個)1/3=1.902×104個
輪(クオークと見做されているもの)の球体の半径には、1.902×104個の磁気の光子が存在する。
輪の球体の半径は、半径の磁気の光子の数×磁気の光子1個の大きさ＝半径の磁気の光子の数×電子のラブの自転軌道＝1.902×104個×8.040×10-19m ＝1.529×10-14m、です。
輪(クオークと見做されているもの)の球体の半径は1.529×10-14m、です。
電磁気の軌道は、2.038×10-11m です。
それで、半径1.529×10-14mの球体は2.038×10-11mの軌道を回転している。
まとめて表に示す。
中性子の中の陽子の中の輪(クオークと見做されているもの)の球体の大きさと、中性子の中の電子の中の輪(クオークと見做されているもの)の球体の大きさ
表12
2016149843.tif 000014
まとめて表に示す。
陽子の中の輪(クオークと見做されているもの)の球体の大きさと、電子の中の輪(クオークと見做されているもの)の球体の大きさ
表13
2016149843.tif 000015
【産業上の利用可能性】
【０００９】
電子や陽子や中性子がどのようになっているかを理解することによって、そのエネルギーを利用する方法が確立するかもしれない。
【符号の説明】
【００１０】
１    陽子の端の軌道
２    3.1MeVの輪(クオークと見做されるもの)の球体
３    1輪の磁気の光子の数＝1輪の電磁気の数×1個の電磁気に付いている磁気の光子の数＝6.2496×108個×4.34×104個＝2.712×1013個
４    球体の半径にr個の磁気の光子が存在するとする。
4/3×πｒ３＝2.712×1013個
ｒ３＝2.712×1013個÷(4/3×π)＝2.712×1013個÷4.187＝6.477×1012個
ｒ＝(6.477×1012個)1/3=1.595×104個
５    輪の球体の半径＝半径の磁気の光子の数×磁気の光子1個の大きさ＝半径の磁気の光子の数×陽子のラブの自転軌道＝1.595×104個×1.837×10-19m＝2.930×10-15m、
６    輪の球体の半径は半径2.930×10-15m
７    電磁気の軌道は2.533×10-15m
８    半径2.930×10-15mの球体は陽子の2.533×10-15mの軌道を回転する
９    中性子の端の軌道
１０    中性子の中の22.76倍のエネルギーの陽子のラブが作る輪(クオークと見做されるもの)
１１    1輪の磁気の光子の数は、1輪の電磁気の数×1個の電磁気に付いている磁気の光子の数＝6.2496×108個×4.34×104個＝2.712×1013個
１２    輪の球体の半径の磁気の光子の数をr個とする。
4/3×πｒ３＝2.712×1013個
ｒ３＝2.712×1013個÷(4/3×π)＝2.712×1013個÷4.187＝6.477×1012個
ｒ＝(6.477×1012個)1/3=1.595×104個
１３    輪の球体の半径＝半径の磁気の光子の数×磁気の光子1個の大きさ＝半径の磁気の光子の数×陽子のラブの自転軌道＝1.595×104個×4.741×10-23m＝7.562×10-19m
１４    輪の球体の半径は7.562×10-19m
１５    電磁気の軌道は、6.538×10-19m
１６    半径7.562×10-19mの球体は6.538×10-19mの軌道を＋方向に回転している
１７    中性子の中の7.220倍のエネルギーの電子のラブが作る輪(クオークと見做されているもの)
１８    １輪の電磁気の個数は3.619×109個で、1電磁気には7.96×107個の磁気の光子が付いている
１９    1輪の中に、3.619×109個×7.96×107回自転＝2.881×1017個の磁気の光子が存在する
２０    輪の球体の半径にr個の磁気の光子が存在するとします。
4/3×πｒ3＝2.881×1017個
ｒ3＝2.881×1017個÷(4/3×π)＝2.881×1017個÷4.187＝6.881×1016個
ｒ＝(6.881×1016個)1/3=1.902×104個
２１    輪の球体の半径＝半径の磁気の光子の数×磁気の光子1個の大きさ＝半径の磁気の光子の数×電子のラブの自転軌道＝1.902×104個×1.493×10-22m ＝2.840×10-18m
２２    輪(クオークと見做されているもの)の球体の半径は2.840×10-18m
２３    電磁気の軌道は、3.784×10-15m
２４    半径2.840×10-18mの球体は3.784×10-15mの軌道を-の方向に回転している
【図１】
2016149843.tif 000029
【図２】
2016149843.tif 000030